(57)【要約】      （修正有）【課題】プロジェクタにネットワークで接続されたクライアントＰＣに、プロジェクタで投影されているリアルタイムな映像を表示可能にする。【解決手段】ネットワーク３に接続されるプロジェクタ１０は、ファイルとして準備された画像データと、カーソルなどの付加画像を重畳させた投射映像をスクリーン２に投影する。プロジェクタ１０は、ネットワーク３に接続されたクライアントＰＣ端末１１、１２、１３、・・・からの画像表示要求を受け付けると、スクリーン２に投影されているリアルタイムな投射映像をキャプチャするキャプチャ部によりキャプチャされたリアルタイムな投射映像をクライアントＰＣ端末１１、１２、１３、・・・においてブラウザ表示させるためのブラウザ表示ファイルを作成する機能を備えている。【選択図】図１
2010122263.tif 000002
【特許請求の範囲】
【請求項１】
ネットワークに接続可能なプロジェクタであって、
ファイルとして準備された画像データを受信する画像データ受信部と、
付加画像を生成する付加画像生成部と、
前記画像データに前記付加画像を重畳させた投射映像を作成する投射映像作成部と、
前記投射映像作成部により作成された投射映像をスクリーンに投影する投射映像投影部
と、
前記ネットワークに接続されたクライアントＰＣ端末からの画像表示要求を受け付ける
表示要求受付部と、
前記投射映像投影部により前記スクリーンに投影されているリアルタイムな投射映像を
キャプチャするキャプチャ部と、
前記キャプチャ部によりキャプチャされたリアルタイムな投射映像を前記クライアント
ＰＣ端末においてブラウザ表示させるためのブラウザ表示ファイルを作成するブラウザ表
示ファイル作成部と、
を備えることを特徴とするプロジェクタ。
【請求項２】
前記キャプチャ部は、前記画像表示要求部により前記クライアントＰＣ端末からの画像
表示要求を受け付けた場合にのみ、前記スクリーンに投影されているリアルタイムな投射
映像をキャプチャする
ことを特徴とする請求項１に記載のプロジェクタ。
【請求項３】
前記キャプチャ部は、前記投射映像投影部により前記スクリーンに投影されているリア
ルタイムな投射映像を一定周期ごとにキャプチャし、
前記ブラウザ表示ファイル作成部は、前記画像表示要求部により前記クライアントＰＣ
端末からの画像表示要求を受け付けた場合にのみ、前記キャプチャ部によりキャプチャさ
れたリアルタイムな投射映像を前記クライアントＰＣ端末においてブラウザ表示させるた
めのブラウザ表示ファイルを作成する
ことを特徴とする請求項１に記載のプロジェクタ。
【発明の詳細な説明】
【技術分野】
【０００１】
本発明は、ネットワークに接続可能な投射型画像表示装置、すなわちプロジェクタから
ネットワークで接続されたクライアントＰＣ端末に、プロジェクタで投影されているプロ
ジェクタ投射映像をリアルタイムで提供するプロジェクタに関するものである。
【背景技術】
【０００２】
近年、ネットワークに接続可能な投射型画像表示装置、すなわちプロジェクタにより、
前記ネットワークまたはプロジェクタに接続されたプレゼンター用ＰＣに記憶されている
会議資料やプレゼンテーション資料等の画像データをスクリーンに投影して、ＴＶ会議や
プレゼンテーション等を行う際に、遠隔地における会議の参加者や、会場が大きすぎる場
合など会場内でもスクリーンに投影されているプロジェクタ投射映像を視認しにくい場所
にいる参加者のために、前記会議資料やプレゼンテーション資料等の画像データを、サー
バを介してクライアントＰＣ端末に配信するシステムが提供されている。（例えば、特許
文献１参照）
【０００３】
図８は、従来のＴＶ会議システムの概略構成図である。図中、１はプロジェクタ、２は
プロジェクタ１が投射映像を投影するスクリーン、３はプロジェクタ１が接続されたネッ
トワーク、４はネットワーク３に接続されたプレゼンター用ＰＣ、５はネットワーク３に
接続されたサーバ、１１、１２、１３、・・・は無線または有線によりネットワーク３に
接続された、会場内または遠隔地におけるクライアントＰＣ端末である。なお、プレゼン
ター用ＰＣ４は、ネットワーク３に接続されるのではなく、直接プロジェクタ１に接続さ
れている場合もある。
【０００４】
図９は、従来のＴＶ会議システムにおけるプロジェクタ１の機能ブロック図である。図
中、２１はプレゼンター用ＰＣ４からの画像データファイルを受信する画像データ受信部
、２２は前記画像受信部２１により受信した画像データを投影するために、当該画像デー
タを一時的に保存する表示用メモリ、２３は前記表示用メモリ２２に保存された画像デー
タを、プロジェクタ投射映像としてスクリーン２に投影する投射映像投影部である。そし
て２４は、前記画像受信部２１により受信した画像データをサーバ５に配信するために、
当該画像データを蓄積する配信用メモリ、２５は前記配信用メモリに蓄積された画像デー
タをサーバ５に配信する画像データ配信部である。
【０００５】
図１０は、従来のＴＶ会議システムにおけるプロジェクタの動作を示すフローチャート
である。プロジェクタ１は、ステップ１においてプレゼンター用ＰＣ４から会議資料やプ
レゼンテーション資料等の画像データを受信する。そしてそれを、ステップ２において表
示用メモリ２２に一時的に保存し、ステップ３において前記表示用メモリ２２に保存した
画像データをプロジェクタ投射映像としてスクリーン２に投影する。一方、ステップ４に
おいて、前記ステップ１において受信した画像データを配信用メモリ２４に蓄積し、ステ
ップ５において、その蓄積した画像データをサーバ５に配信する。
そして、クライントＰＣ端末１１、１２、１３、・・・は、サーバ５を介して、プロジ
ェクタ１から配信された前記画像データをブラウザによって表示する。
【０００６】
一方、プロジェクタにより投影されるプロジェクタ投射映像としては、予め準備された
会議資料やプレゼンテーション資料等の画像データに、リモコンやマウス等の外部入力装
置により指示した位置を示すポインタ画像や、キーボードやタブレット等の外部入力装置
により書き加えられたアンダーライン等の手書き画像や文字画像、プロジェクタの内部で
生成した表示枠等のフレーム画像など、必要に応じて任意の付加画像をその場で重畳させ
て、より効果的な会議やプレゼンテーションの進行を行う手法も、広まってきている。（
例えば、特許文献２参照）
【０００７】
【特許文献１】特開２００３−１７３１７７号公報
【特許文献２】国際公開第０１／０９２９５３号
【発明の開示】
【発明が解決しようとする課題】
【０００８】
しかしながら、このような従来のシステムでは、プロジェクタで任意の付加画像を重畳
させてスクリーンに投影した場合であっても、会場内または遠隔地のクライアントＰＣ端
末に対しては、当該付加画像を重畳させる前の会議資料やプレゼンテーション資料等の画
像データが配信されるだけであり、プレゼンターが会場内で行ったプロジェクタ投射映像
に対する指示や文字等の追加などの動作までは、遠隔地にいる参加者に伝えることができ
なかった。そのため、会場内では前記付加画像を重畳させて、より効果的な会議やプレゼ
ンテーションの進行が行われていたとしても、クライアントＰＣ端末を使用する参加者が
、前記付加画像が重畳されてスクリーンに投影されているリアルタイムなプロジェクタ投
射映像を視認することはできず、全参加者に対して効果的な会議やプレゼンテーションの
進行を行うことはできなかった。
【０００９】
そこで本願発明は、これらの課題を解決し、プロジェクタを利用している会場内または
遠隔地のクライアントＰＣ端末においても、会場内のスクリーンにプロジェクタで投影さ
れている付加情報を含むリアルタイムなプロジェクタ投射映像を表示することができるプ
ロジェクタを提供するものである。
【課題を解決するための手段】
【００１０】
本発明にかかるプロジェクタは、上記課題を解決するために、少なくとも次の構成を備え
ている。
ネットワークに接続可能なプロジェクタであって、ファイルとして準備された画像デー
タを受信する画像データ受信部と、付加画像を生成する付加画像生成部と、前記画像デー
タに前記付加画像を重畳させた投射映像を作成する投射映像作成部と、前記投射映像作成
部により作成された投射映像をスクリーンに投影する投射映像投影部と、前記ネットワー
クに接続されたクライアントＰＣ端末からの画像表示要求を受け付ける表示要求受付部と
、前記投射映像投影部により前記スクリーンに投影されているリアルタイムな投射映像を
キャプチャするキャプチャ部と、前記キャプチャ部によりキャプチャされたリアルタイム
な投射映像を前記クライアントＰＣ端末においてブラウザ表示させるためのブラウザ表示
ファイルを作成するブラウザ表示ファイル作成部とを備えていることを特徴とする。
【００１１】
前記キャプチャ部は、前記画像表示要求部により前記クライアントＰＣ端末からの画像
表示要求を受け付けた場合にのみ、前記スクリーンに投影されているリアルタイムな投射
映像をキャプチャすることを特徴とする。
【００１２】
前記キャプチャ部は、前記投射映像投影部により前記スクリーンに投影されているリア
ルタイムな投射映像を一定周期ごとにキャプチャし、前記ブラウザ表示ファイル作成部は
、前記画像表示要求部により前記クライアントＰＣ端末からの画像表示要求を受け付けた
場合にのみ、前記キャプチャ部によりキャプチャされたリアルタイムな投射映像を前記ク
ライアントＰＣ端末においてブラウザ表示させるためのブラウザ表示ファイルを作成する
ことを特徴とする。
【発明の効果】
【００１３】
本発明のプロジェクタによれば、ネットワークに接続されたクライアントPCのユーザに
対して、実際にプロジェクタで投影されている付加画像を含むリアルタイムな投射画像を
視認させることができ、TV会議等をより効果的行うことができる。
【発明を実施するための最良の形態】
【００１４】
以下、本発明の実施の形態に係るＴＶ会議システムの好適な実施例について、図面を参
照しながら説明する。
図１は、本願発明のＴＶ会議システムの概略構成図である。図中、１０はプロジェクタ
、２はプロジェクタ１０が投射映像を投影するスクリーン、３はプロジェクタ１０が接続
されたネットワーク、４はネットワーク３に接続されたプレゼンター用ＰＣ、１１、１２
、１３、・・・は無線または有線によりネットワーク３に接続された、会場内または遠隔
地におけるクライアントＰＣ端末である。なお、プレゼンター用ＰＣ４は、ネットワーク
３に接続するのではなく、直接プロジェクタ１０に接続してもよい。また、図示はされて
いないが、プロジェクタ１０やプレゼンター用ＰＣ４には、リモコン、マウス、キーボー
ド、カメラ等の外部入力装置が接続されている。
【００１５】
図２は、本願発明のＴＶ会議システムにおけるプロジェクタ１０の機能ブロック図であ
る。図中２０は、スクリーン２に投射映像を投影する画像投影部であり、プレゼンター用
ＰＣ４からの画像データファイルを受信する画像データ受信部２１、プレゼンター用ＰＣ
４やプロジェクタ１０の外部入力装置（図示せず）からのポインタ指示や追加入力等の指
示及びプロジェクタ１０の内部で付加画像を生成する指示を受け付ける付加情報取得部２
６、前記受け付けた指示に従って付加画像を生成する付加画像生成部２７、前記画像デー
タ受信部２１により受信した画像データと、前記付加画像生成部２７により生成した付加
画像とを重畳させて投射映像を作成する投射映像作成部２８、前記投射映像作成部２８に
より作成された投射映像を一時的に保存する表示用メモリ２９、前記表示用メモリ２９に
保存された投射映像をスクリーン２に投影する投射映像投影部２３により構成されている
。
【００１６】
また、３０はブラウザ表示ファイル作成部であり、クライアントＰＣ端末１１、１２、
１３、・・・からの投射映像表示要求を受け付ける投射映像表示要求受付部３１、前記投
射映像表示要求受付部３１により投射映像表示要求を受け付けた場合に、前記投射映像投
影部２３によりスクリーン２に投影されているリアルタイムなプロジェクタ投射映像をキ
ャプチャする投射映像キャプチャ部３２、前記投射映像キャプチャ部３１によりキャプチ
ャした投射映像を一時的に保存するキャプチャ用メモリ３３、前記キャプチャ用メモリに
保存された投射映像をブラウザで表示できるファイル形式（例えばＨＴＭＬ等により記述
されたファイル形式）で作成するリアルタイム投射映像表示ファイル作成部３４により構
成されている。
【００１７】
図３は、本願発明のＴＶ会議システムにおけるプロジェクタ１０の画像投影部２０にお
ける動作を示すフローチャートである。プロジェクタ１０は、ステップ１１においてプレ
ゼンター用ＰＣ４から会議資料やプレゼンテーション資料等の画像データを受信する。次
に、ステップ１２において、プレゼンター用ＰＣ４やプロジェクタ１０の外部入力装置（
図示せず）からのポインタ指示や追加入力等の指示及びプロジェクタ１０の内部で付加画
像を生成する指示があるか否かを確認し、前記指示を受け付けた場合には、ステップ１３
において、前記指示に従って付加画像を生成する。ステップ１４において、前記ステップ
１１において受信した画像データと、前記ステップ１３において生成した付加画像とを重
畳させて投射映像を作成し、ステップ１５において、その作成した投射映像を一時的に表
示用メモリ２８に保存する。そして、ステップ１６において前記表示用メモリ２８に保存
した投射映像をスクリーン２に投影する。一方、前記ステップ１２において、前記指示が
なかった場合には、前記ステップ１１において受信した画像データをそのまま一時的に表
示用メモリ２８に保存し（ステップ１５）、該保存した画像データを投射映像としてスク
リーン２に投影する。
【００１８】
図４は、本願発明のＴＶ会議システムにおけるプロジェクタ１０のブラウザ表示ファイ
ル作成部３０における動作を示すフローチャートである。プロジェクタ１０は、ステップ
２１において、クライアントＰＣ端末１１、１２、１３、・・・から投射映像表示要求が
あるか否かを監視している。投射映像表示要求があった場合には、ステップ２２において
、その時に実際にスクリーン２に投影されているリアルタイムなプロジェクタ投射映像を
キャプチャし、ステップ２３において、前記キャプチャした投射映像を一時的にキャプチ
ャ用メモリ３３に保存して、ステップ２４において、前記キャプチャした投射映像をブラ
ウザで表示できるファイル形式（例えばＨＴＭＬ等により記述されたファイル形式）で作
成する。
【００１９】
ここで、本実施形態においては、クライアントＰＣ端末１１、１２、１３、・・・から
投射映像表示要求があった場合にだけ、プロジェクタ投射映像をキャプチャするようにし
たが、スクリーン２に投影されている実際のプロジェクタ投射映像を非常に短い一定周期
ごとにキャプチャして一時的なバッファメモリであるキャプチャ用メモリ３３に保存する
ようにし、前記投射映像表示要求があった場合にのみ、前記キャプチャ用メモリ３３に保
存されている投射映像をブラウザで表示できるファイル形式で作成するようにしてもよい
。なお、いずれの場合であっても、キャプチャ用メモリ３３の容量としては１画面分の容
量しか必要とせず、キャプチャ用メモリ３３に保存される実際のプロジェクタ投射映像は
、キャプチャするごとにリアルタイムに更新されるものである。
【００２０】
そして、クライアントＰＣ端末１１、１２、１３、・・・においては、前記投射映像表
示要求を行った結果として、前記リアルタイム投射映像表示ファイル作成部３３で作成さ
れた投射映像の表示ファイルを自身の端末（クライアントＰＣ端末１１、１２、１３、・
・・）のブラウザ画面に表示することができるものである。なお、クライアントＰＣ端末
１１、１２、１３、・・・における動作としては、Ｗｅｂサーバに対して画面表示要求を
行い、その結果をブラウザ画面に表示するという、一般的なブラウザ表示機能と同じであ
るから、ここでは説明を省略する。
【００２１】
図５は、プレゼンター用ＰＣ４によって準備された会議資料やプレゼンテーション資料
の画像データ４１を示す図であり、図６は、前記画像データ４１が加工されることなくそ
のまま投影された場合の、実際のプロジェクタ投射映像４３を示す図である。一方、図７
は、プロジェクタ１０の内部で前記画像データ４１に付加画像４２を重畳させて作成した
、実際のプロジェクタ投射映像４３を示す図である。図７（ａ）は、前記付加画像４２が
、プレゼンター用ＰＣ４やプロジェクタ１０の外部入力装置であるマウスやリモコン等に
より指示された位置を示すポインタ画像であるもの、図７（ｂ）及び（ｃ）は、前記付加
画像４２が、プレゼンター用ＰＣ４やプロジェクタ１０の外部入力装置であるタブレット
やキーボード等により追加されたアンダーライン及び文字画像であるもの、図７（ｄ）は
、前記付加画像４２が、プロジェクタ１０の内部で生成された表示枠（フレーム画像）で
あるものを示している。
【００２２】
そして、従来のＴＶ会議システムにおいては、前記画像データ４１に、図７（ａ）−（
ｄ）等に示すような何らかの加工を施した、すなわち、任意の付加画像４２を重畳させた
、プロジェクタ投射映像４３をスクリーン２に投影して、効果的な会議やプレゼンテーシ
ョンの進行を行っている場合であっても、会場内において実際のプロジェクタ投射映像を
視認しにくい場所にいる参加者や、遠隔地における参加者にとっては、前記画像データ４
１が配信されるだけであり、付加画像４２を重畳させた実際のプロジェクタ投射映像４３
を視認することはできなかった。
【００２３】
しかしながら、本願発明においては、画像データ４１にどのような加工が施されたとし
ても、その加工後の実際のプロジェクタ投射映像４３をプロジェクタ１０がキャプチャし
、リアルタイムなプロジェクタ投射映像をクライアントＰＣ端末１１、１２、１３、・・
・に提供することができるものである。
【００２４】
これにより、クライアントＰＣ端末１１、１２、１３、・・・においても、リアルタイ
ムで実際のスクリーンに投影されているプロジェクタ投射映像を表示することができる。
その結果、大きすぎる会場内で実際のプロジェクタ投射映像を視認しにくい場所にいる参
加者や、遠隔地における参加者も含めた全参加者に対して、効果的な会議やプレゼンテー
ションの進行を行うことができるものである。
【図面の簡単な説明】
【００２５】
【図１】本発明の実施の形態におけるＴＶ会議システムの概略構成図である。
【図２】本発明の実施の形態におけるプロジェクタ１０の機能ブロック図である。
【図３】本発明の実施の形態におけるプロジェクタ１０の、画像投影部２０における動作を示すフローチャートである。
【図４】本発明の実施の形態におけるプロジェクタ１０の、サーバ部３０における動作を示すフローチャートである。
【図５】プロジェクタ１０が、プレゼン用資料として受信する画像データ４１を示す図である。
【図６】プロジェクタ１０が、受信した画像データ４１をそのまま投影した場合のプロジェクタ投射映像４３を示す図である。
【図７】プロジェクタ１０が、受信した画像データ４１に付加画像４２を重畳させた場合のプロジェクタ投射映像４３を示す図である。
【図８】従来のＴＶ会議システムの概略構成図である。
【図９】従来のＴＶ会議システムにおけるプロジェクタ１の機能ブロック図である。
【図１０】従来のＴＶ会議システムにおけるプロジェクタ１の動作を示すフローチャートである。
【符号の説明】
【００２６】
１、１０・・・プロジェクタ、２・・・スクリーン、３・・・ネットワーク、４・・・プ
レゼンター用ＰＣ、５・・・サーバ、１１、１２、１３・・・クライアントＰＣ端末、２
０・・・画像投影部、２１・・・画像データ受信部、２２、２９・・・表示用メモリ（一
時バッファメモリ）、２３・・・投射映像投影部、２４・・・配信用メモリ、２５・・・
画像データ配信部、２６・・・付加情報取得部、２７・・・付加画像生成部、２８・・・
投射映像作成部、３０・・・ブラウザ表示ファイル作成部、３１・・・表示要求受付部、
３２・・・投射映像キャプチャ部、３３・・・キャプチャ用メモリ（一時バッファメモリ
）、３４・・・リアルタイム投射映像表示ファイル作成部
【図１】
2010122263.tif 000003
【図２】
2010122263.tif 000004
【図３】
2010122263.tif 000005
【図４】
2010122263.tif 000006
【図５】
2010122263.tif 000007
【図６】
2010122263.tif 000008
【図７】
2010122263.tif 000009
【図８】
2010122263.tif 000010
【図９】
2010122263.tif 000011
【図１０】
2010122263.tif 000012